(57)【要約】【課題】作業機械の物品の収納部の開口に備えられる蓋板の開閉構造を、物品の出し入れを容易にし、また収納部の奥まで物品の収納に十分利用することができるようにする。【解決手段】収納部（２）の開口（１４）を開閉する蓋板（１６）を、収納部（２）の開口（１４）を通し出し入れ自在に設けられた引出板（１８）に揺動自在に連結する。【選択図】　　　　図２
2004051161.tif 000002
【特許請求の範囲】
【請求項１】
収納部の開口を開閉する蓋板が、該収納部の開口を通し出し入れ自在に設けられた引出板に揺動自在に連結されている、ことを特徴とする作業機械の収納部開閉構造。
【請求項２】
該蓋板の引出板引出方向への揺動角度を規制する揺動規制手段を備えている、請求項１記載の作業機械の収納部開閉構造。
【請求項３】
該揺動規制手段が、蓋板と引出板とを連結するヒンジに備えられている、請求項２記載の作業機械の収納部開閉構造。
【請求項４】
該揺動規制手段が、蓋板及び引出板に形成された互いに係合する係止部を備えている、請求項２記載の作業機械の収納部開閉構造。
【請求項５】
該収納部が、運転座席とこの運転座席が設置される床との間に、該開口を運転座席の前側にして備えられている、請求項１から４までのいずれかに記載の作業機械の収納部開閉構造。
【発明の詳細な説明】
【０００１】
【発明の属する技術分野】
本発明は、作業機械の収納部開閉構造、さらに詳しくは、収納部への物品の出し入れを容易にした収納部開閉構造に関する。
【０００２】
【従来の技術】
典型的な作業機械は、例えば運転座席とその設置床面との間に箱状に形成された物品の収納部を備えている。この収納部には、工具、作業靴、ヘルメットなど、種々の物品が出し入れ自在に収納される。
【０００３】
収納部の典型例が、例えば実公平５−４５５７３号公報に開示されている。収納部の前面には、物品出し入れのための開口が備えられ、開口には取手を有した蓋板がヒンジにより開閉自在に取付けられている。
【０００４】
【発明が解決しようとする課題】
しかしながら上述したとおりの形態の従来の物品の収納部には、次のとおりの解決すべき課題がある。
【０００５】
（１）物品の出し入れがしにくい：
ヒンジを中心に開けられた蓋板の端と収納部との間隔、すなわち前後開口幅が、収納部の奥行きに対し小さく、収納部への物品の出し入れがしにくい。特に、運転座席の下に備えられる収納部においては、収納部の高さが必然的に低くなり、開けた蓋板の取手は床面に干渉し、あるいは開けた蓋板が運転座席の前方の操縦ペダル類に干渉し、前後開口幅が制限され小さくなり、収納部への物品の出し入れがしにくい。
【０００６】
（２）収納部を十分に利用しにくい：
収納部の奥行きに比べ蓋板を開けたときの前後開口幅が小さいので、収納部の奥への物品の収納、また奥からの物品の取り出しが難しく、収納部を十分に利用しにくい。
【０００７】
本発明は上記事実に鑑みてなされたもので、その技術的課題は、物品の収納部の開口に備えられる蓋板の開閉構造を、物品の出し入れを容易にし、また収納部の奥まで物品の収納に十分利用することができるようにした、作業機械の収納部開閉構造を提供することである。
【０００８】
【課題を解決するための手段】
請求項１に記載された発明は、収納部の開口を開閉する蓋板が、該収納部の開口を通し出し入れ自在に設けられた引出板に揺動自在に連結されている、ことを特徴とする作業機械の収納部開閉構造である。
【０００９】
そして、蓋板を、収納部に出し入れ自在な引出板に揺動自在に連結し、引出板を引き出し蓋体を引出方向に揺動させることにより、前後開口幅を大きくし、また引出板を引き出して、物品の出し入れを容易に、また収納部の奥まで物品の収納に十分利用できるようにする。
【００１０】
請求項２に記載された発明は、請求項１記載の作業機械の収納部開閉構造において、該蓋板の引出板引出方向への揺動角度を規制する揺動規制手段を備えているものである。
【００１１】
そして、蓋板の最大揺動角度を規定し、引出方向の障害物との干渉を適切に回避させ、また大きな前後開口幅を用意できるようにする。
【００１２】
請求項３に記載された発明は、請求項２記載の作業機械の収納部開閉構造において、該揺動規制手段が、蓋板と引出板とを連結するヒンジに備えられているものである。
【００１３】
そして、揺動規制手段を蓋板を引出板に連結するヒンジに形成して、蓋板の揺動を規制する。
【００１４】
請求項４に記載された発明は、請求項２記載の作業機械の収納部開閉構造において、該揺動規制手段が、蓋板及び引出板に形成された互いに係合する係止部を備えているものである。
【００１５】
そして、例えば引出板に設けられた側板と蓋板に係止部を形成して蓋板の揺動を規制する。
【００１６】
請求項５に記載された発明は、請求項１から４までのいずれかに記載の作業機械の収納部開閉構造において、該収納部が、運転座席とこの運転座席が設置される床との間に、該開口を運転座席の前側にして備えられているものである。
【００１７】
そして、運転座席前の床に操縦ペダルなどが備えられる作業機械の運転座席の下に、物品の出し入れが容易な、また奥まで物品の収納に十分に利用できる、収納部開閉構造を備えた収納部を用意する。
【００１８】
【発明の実施の形態】
以下、本発明に従って構成された作業機械の収納部開閉構造について、典型的な作業機械である油圧ショベルの運転座席の部分に適用した好適実施形態を図示している添付図面を参照して、さらに詳細に説明する。
【００１９】
図１を参照して説明すると、物品の収納部である収納箱２が運転座席４と運転座席４が設置される床６との間に備えられている。運転座席４の左右には操縦レバー８ａを備えたコンソール８、操縦レバー９ａを備えたコンソール９がそれぞれ備えられている。運転座席４の前方の床６には、レバー付きの一対の操縦ペダル１０、１０が備えられている。運転座席４の右前方には操縦パネル１２が備えられている。
【００２０】
図２及び図３を参照して、収納箱２について説明する。収納箱２は、その上に運転座席４を取付け可能に鋼板によって直方体状に形成され、運転座席４の前側（図２の左側）には略全面を開放した開口１４が備えられて、床６に取付けられている。開口１４には、開閉用の蓋板１６が、開口１４を通して出し入れを自在に設けられた引出板１８に揺動自在に連結されている。
【００２１】
引出板１８は、収納箱２の底面と略同じ大きさの矩形状に、例えば鋼板によって形成され、収納箱２に出し入れを摺動自在にして取付けられている（摺動構造については後に述べる）。
【００２２】
蓋板１６は、引出板１８の前端に、開口１４を閉じる大きさの矩形状に、鋼板によって形成され、一対のヒンジ２０、２０により揺動自在に連結されている。蓋板１６の上端側には開閉操作用の取手２２が備えられている（取手２２については後に述べる）。
【００２３】
蓋板１６には、図２に矢印Ｘで示す引出板引出方向の、揺動角度θを規制する揺動規制手段２４が備えられている。本実施の形態における揺動角度θは、前方の操縦ペダル１０との干渉を避け、かつ蓋板１６の先端と収納箱２の前端との間隔である前後開口幅Ｌを大きくするように、鉛直位置から前方に約５０°に設定されている。揺動規制手段２４は蓋板１６の揺動中心のヒンジ２０に備えられている。
【００２４】
図４を参照して揺動規制手段２４を備えたヒンジ２０について説明する。ヒンジ２０は、固定ヒンジ片２０ａと回動ヒンジ片２０ｂを、ピン２０ｃにより回動自在に連結した基本的には周知のものである。引出板１８に固定ヒンジ片２０ａが、蓋板１６に回動ヒンジ片２０ｂがそれぞれ固定されている。ヒンジ２０には、揺動規制手段２４を形成する、回動ヒンジ片２０ｂから回動中心部に突出した舌部２０ｄが備えられ、舌部２０ｄは図４（ａ）に示すごとく揺動を規制する角度θにおいて固定ヒンジ片２０ａに当接し、回動ヒンジ片２０ｂのそれ以上の回動を止める。
【００２５】
揺動規制手段２４を備えた、出し入れ自在な引出板１８及び揺動自在な蓋板１６の代表的な位置を図２に、位置Ｘ１、Ｘ２、Ｘ３で示す。
位置Ｘ１は、収納箱２に引出板１８を入れた状態で蓋板１６が開口１４を閉じている状態を、
位置Ｘ２は、収納箱２に引出板１８を入れた状態で蓋板１６を揺動させ開口１４を開けている状態を、
位置Ｘ３は、引出板１８を引き出し、かつ蓋板１６を前方に揺動させた状態を、それぞれ示している。
【００２６】
図５〜図７を参照して、揺動規制手段の他の実施形態である揺動規制手段２６について説明する。揺動規制手段２６は、蓋板１６及び引出板１８に形成され互いに係合する係止部２８を備えている。主として図７を参照して説明すると、係止部２８は、蓋板１６の左右両端部に形成された蓋板側係止部２８ａと、引出板１８の左右両側部に形成された引出板側係止部２８ｂとを備えている。引出板側係止部２８ｂは、引出板１８の両側に立設された側板１９、１９の、蓋板１６側端にそれぞれ左右内方向を向いた曲げ部により形成されている。蓋板側係止部２８ａは、蓋板１６の左右両端に蓋板１６の面に直角に引出板１８側に向けて蓋板１６の揺動中心から前述の揺動角度θで拡がる扇状部１７の先端部に左右外方向に張り出し、引出板側係止部２８ｂの曲げ部に揺動角度θにおいて係合する曲げ部により形成されている。この揺動規制手段２６を備える場合においては、蓋板１６と引出板１８は、前述した揺動規制手段２４を備えない適宜のヒンジにより連結すればよい。
【００２７】
揺動規制手段２６を備えた、出し入れ自在な引出板１８及び揺動自在な蓋板１６の代表的な位置を図５に、位置Ｘ１、Ｘ２、Ｘ３で示す。
位置Ｘ１は、収納箱２に引出板１８を入れた状態で蓋板１６が開口１４を閉じている状態を、
位置Ｘ２は、収納箱２に引出板１８を入れた状態で蓋板１６を揺動させ開口１４を開けている状態を、
位置Ｘ３は、引出板１８を引き出し、かつ蓋板１６を前方に揺動させた状態を、それぞれ示している。
【００２８】
図８を参照して、引出板１８を収納箱２に摺動自在に取付けている摺動構造について説明する。収納箱２の左右内側には引出板１８の出し入れ方向（図８の紙面に直角方向）に延び引出板１８の両端部を支持し案内するレール部材３０が取付けられている。レール部材３０は、断面をコ字形状のチャンネル状に成形したフレーム３０ａと、ゴム、合成樹脂など弾性材料によって断面をコ字形状のチャンネル状に形成しフレーム３０ａの中に接着などの手段により固定されたレール３０ｂとを備えている。このチャンネル状のレール３０ｂにより引出板１８の端部が、摺動可能に、かつ弾性的に挟圧保持される。
【００２９】
図９を参照して、引出板１８を収納箱２に摺動自在に取付ける他の摺動構造について説明する。この実施例においては引出板１８には側板１９が備えられている。収納箱２の左右内側には引出板１８の出し入れ方向（図８の紙面に直角方向）に延び引出板１８と側板１９の角部を支持して案内する断面Ｌ字形状のレール部材３２が取付けられている。レール部材３２は鋼材により形成され、引出板１８及び側板１９の摺接する面には、摺動を円滑にするための樹脂が貼り付け、あるいはコーティングされている。
【００３０】
図１０を参照して、蓋板１６に取付けられた取手２２について説明する。取手２２は、蓋板１６に形成された矩形孔２３に嵌め込まれて取付けられ、開閉操作用の手先を入れる凹部を有した周知のものである。取手２２の近傍の収納箱２の上面の内側にはマグネット３が取付けられており、鋼板により形成された蓋板１６が取手２２によりマグネット３に着脱、すなわち開閉操作される。
【００３１】
上述したとおりの作業機械の収納部開閉構造の作用について、主として図２を参照して説明する。
【００３２】
（１）物品の出し入れ：
閉じられた蓋板１６（位置Ｘ１）をヒンジ２０を中心に揺動させて開くと同時に引出板１８を引出方向（矢印Ｘ方向）に位置Ｘ３まで引き出すことができるので、蓋板１６の先端と収納箱２との間隔である開口前後幅Ｌが大きくなり、収納箱２への物品の出し入れが容易になる。また、開口前後幅Ｌが大きくなり引出板１８が収納箱２から引き出されるので、収納箱２の奥まで物品の出し入れが容易になり、収納箱２の奥まで十分に収納に利用することができる。
【００３３】
（２）揺動規制手段：
揺動規制手段２４（２６）により、引出板１８に対する蓋板１６の揺動角度θを規制したので、蓋板１６はその位置で揺動が止められるので引出板１８を引き出しての開閉操作がし易い。さらに、ヒンジ２０に備えた揺動規制手段２４はコンパクトであり、物品の収納の邪魔にもならない。引出板１８の側板１９と蓋板１８の間に備えた揺動規制手段２６においては、側板１９により物品を確実に引出板１８に保持することができる。
【００３４】
（３）運転座席下の収納部：
運転座席４の下に備えた収納部である収納箱２においては、運転座席４の前方に操縦ペダル１０があっても、蓋板１６が引出板１８に揺動自在にかつ最大揺動角度を規制して連結されているので、蓋板１６を操縦ペダル１０に干渉させないで開口前後幅Ｌを広くすることができる。
【００３５】
以上、本発明を実施の形態に基づいて詳細に説明したが、本発明は上記の実施の形態に限定されるものではなく、例えば下記のように、本発明の範囲内においてさまざまな変形あるいは修正ができるものである。
【００３６】
（１）揺動規制手段：
本発明の実施の形態においては、引出板と蓋板の揺動を規制する揺動規制手段が、蓋板を揺動自在に連結するヒンジに、あるいは蓋板と引出板に設けられた係止部により形成されたが、蓋板と引出板を所定長さのロープ、チェーンなどにより連結してもよい。あるいは、蓋板と引出板の間に所定の長さの支持棒を、一端を凹部、穴などに係脱自在にして連結してもよい。
【００３７】
（２）揺動角度：
本発明の実施の形態においては、揺動規制手段によって揺動角度θを約５０°に規制したが、この角度は周囲の例えば操縦ペダルなどとの関係において、あるいは収納部の開口の大きさなどによって、適宜に変えればよい。
【００３８】
（３）運転席下の収納箱：
本発明の実施の形態においては、収納部開閉構造は、運転座席の下の収納箱に適用されているが、作業機械の機体の他の部位に備えられる物品の収納部にも適用できることは言うまでもない。
【００３９】
【発明の効果】
本発明に従って構成された作業機械の収納部開閉構造によれば、収納部の開口を開閉する蓋板を、収納部の開口を通し出し入れ自在に設けた引出板に揺動自在に連結したので、物品の出し入れが容易になり、また収納部の奥まで物品の収納に十分に利用することができる。
【図面の簡単な説明】
【図１】本発明に従って構成された収納部開閉構造を備えた、典型的な作業機械である油圧ショベルの運転座席部分の斜視図。
【図２】図１のＡ矢印方向に見て収納部開閉構造の部分を中心にして示した側面図。
【図３】図２のＢ矢印方向に見て示した収納部の正面図。
【図４】（ａ）図２にＣで示した、揺動規制手段を備えるヒンジの部分の拡大図。
（ｂ）ヒンジの拡大斜視図。
【図５】揺動規制手段の他の形態を備えた収納部の側面図。
【図６】図５のＤ矢印方向に見た収納部の平面図。
【図７】（ａ）図６にＥで示した揺動規制手段の部分の拡大図。
（ｂ）揺動規制手段の部分を蓋板閉状態で示した説明斜視図。
（ｃ）揺動規制手段の部分を蓋板開状態で示した説明斜視図。
【図８】図３にＦで示した部分の、引出板と収納箱の摺動構造の拡大断面図。
【図９】図３にＦで示した部分の、引出板と収納箱の摺動構造の他の形態を示した拡大断面図。
【図１０】図３のＧ−Ｇ矢印方向に見て示した取手の部分の拡大断面図。
【符号の説明】
２：収納箱（収納部）
４：運転座席
６：床
１４：開口
１６：蓋板
１８：引出板
２０：ヒンジ
２４：揺動規制手段
２６：揺動規制手段
２８：係止部
Ｘ：引出方向
θ：揺動角度
【図１】
2004051161.tif 000003
【図２】
2004051161.tif 000004
【図３】
2004051161.tif 000005
【図４】
2004051161.tif 000006
【図５】
2004051161.tif 000007
【図６】
2004051161.tif 000008
【図７】
2004051161.tif 000009
【図８】
2004051161.tif 000010
【図９】
2004051161.tif 000011
【図１０】
2004051161.tif 000012